(57)【要約】【課題】貼り付けられた一方のラベル部分に対し、貼り付けられていない他方のラベル部分が切り裂かれたり、脱落してしまうことを防止することが可能なエアバッグ用バーコードラベルを提供する。【解決手段】裏面を粘着面７ａ，８ａとし、表面には、同一情報のバーコードを第１ラベル部７及び第２ラベル部８の２箇所に印刷し、これらバーコード間に第１ラベル部から第２ラベル部を分断するための破断用ライン６を形成したラベル体２と、エアバッグを含む本体製品モジュールにラベル体を、第１ラベル部の粘着面で貼り付ける際に、第１ラベル部から分断して車両の適宜箇所に貼り付ける第２ラベル部をモジュールに付着させるために、第２ラベル部の粘着面を部分的に露出させる剥離台紙３とを備えた。【選択図】図２
2011059615.tif 000002
【特許請求の範囲】
【請求項１】
裏面を粘着面とし、表面には、同一情報のバーコードを第１ラベル部及び第２ラベル部の２箇所に印刷し、これらバーコード間に該第１ラベル部から該第２ラベル部を分断するための破断用ラインを形成したラベル体と、
エアバッグを含む本体製品モジュールに該ラベル体を、該第１ラベル部の粘着面で貼り付ける際に、該第１ラベル部から分断して車両の適宜箇所に貼り付ける該第２ラベル部を該モジュールに付着させるために、該第２ラベル部の粘着面を部分的に露出させる剥離台紙とを備えたことを特徴とするエアバッグ用バーコードラベル。
【請求項２】
該剥離台紙は、該破断用ライン及びその周辺の該第２ラベル部の粘着面を露出させることを特徴とする請求項１に記載のエアバッグ用バーコードラベル。
【請求項３】
該剥離台紙は、該第２ラベル部の粘着面から該第１ラベル部の粘着面に達する複数のブリッジ部を有することを特徴とする請求項１又は２に記載のエアバッグ用バーコードラベル。
【請求項４】
該剥離台紙は、該第２ラベル部の粘着面で該ブリッジ部を連結して、該第２ラベル部の粘着面を凹形状で露出させるベース部を有することを特徴とする請求項３に記載のエアバッグ用バーコードラベル。
【請求項５】
該剥離台紙には、該破断用ライン近傍で該第２ラベル部の端縁と一致する箇所に、該剥離台紙を補強するための補強部が形成されることを特徴とする請求項１〜４いずれかの項に記載のエアバッグ用バーコードラベル。
【請求項６】
該破断用ライン近傍は、不粘着面であることを特徴とする請求項１〜５いずれかの項に記載のエアバッグ用バーコードラベル。
【発明の詳細な説明】
【技術分野】
【０００１】
本発明は、エアバッグの製品管理に使用されるエアバッグ用バーコードラベルに関する。
【背景技術】
【０００２】
近年の製品・商品管理方法は、バーコードによる管理が主流であり、その使用範囲は多岐にわたっている。すなわち、バーコードによる製品管理は、特に製造業では必要不可欠な要素となっている。
【０００３】
従来より、部品と製品とを関連させ、管理するために、各種のバーコードラベルが提案されている。
【０００４】
例えば、同一情報を印刷したバーコードラベルの一方を製品に貼り付けて使用し、他方を部品に貼り付けて使用することがある。具体的には、両ラベルを別々に用意して個々に貼り付ける場合と、破断線などを介して両ラベルを一体化しておき、まず一方のラベルで部品に貼り付けておいて、後工程で他方のラベルを破断線で切り離して製品に貼り付ける場合がある。後者は、ラベル作成に手間や無駄がなく、工数も低減できて、現在の主流となっている。
【０００５】
バーコードラベルは主に、粘着面を有し、バーコードが印刷されるラベル体と、粘着面を保護するセパレータと称される剥離台紙を備えている。
【０００６】
この種のバーコードラベルとして、特許文献１が知られている。特許文献１の「製品管理用バーコードラベル」は、少なくとも、同一のコードパターンを上、中、下段にわたって連続して印刷した３連のバーコードラベル本体を、該バーコードラベル本体より広幅の剥離台紙に貼着し、この下段、中段のバーコードラベルの長手方向の両側と下段、中段及び中段、上段のバーコードラベルの境目位置となる剥離台紙に切線を設けると共に、この下段と中段、中段と上段のバーコードラベルの境目にミシン目を設け、且つ前記中段のバーコードラベルの両側に耳片を突出形成し、該耳片の長手方向の基部にミシン目を前記剥離台紙の切線より外側にずれた位置に設けるようにしている。
【０００７】
まず、製品の生産完了時点において、上段ラベル本体の粘着面を露出させ、製品面に貼り付ける。非粘着面となる中段ラベルと下段ラベル中、中段ラベルの耳片の粘着面が露出していて、製品に部分的に貼着される。次に、製品を物流倉庫から出荷する時、下段ラベルを切り放つ。製品が例えば販売会社に到着した時点で中段ラベルを、切り放つ。このとき、耳片は、製品に残される。
【先行技術文献】
【特許文献】
【０００８】
【特許文献１】実開平４−２００８０号公報
【発明の概要】
【発明が解決しようとする課題】
【０００９】
特許文献１にあっては、下段ラベルについて検討すると、切り放つ以前の段階では、下段ラベルは、製品に対してまったく貼着されていない状態にある。このため、上段ラベルを製品に貼り付けた後、下段ラベルを切り放つまでの間に、他の製品などとの接触等、何らかの外力が加わった場合に、下段ラベルが剥離台紙から剥離して粘着面が露出されたり、ミシン目で切り裂かれてしまったり、顕著な場合には脱落してしまうおそれがあると考えられる。
【００１０】
本発明は上記従来の課題に鑑みて創案されたものであって、貼り付けられた一方のラベル部分に対し、貼り付けられていない他方のラベル部分が切り裂かれたり、脱落してしまうことを防止することが可能なエアバッグ用バーコードラベルを提供することを目的とする。
【課題を解決するための手段】
【００１１】
本発明にかかるエアバッグ用バーコードラベルは、裏面を粘着面とし、表面には、同一情報のバーコードを第１ラベル部及び第２ラベル部の２箇所に印刷し、これらバーコード間に該第１ラベル部から該第２ラベル部を分断するための破断用ラインを形成したラベル体と、エアバッグを含む本体製品モジュールに該ラベル体を、該第１ラベル部の粘着面で貼り付ける際に、該第１ラベル部から分断して車両の適宜箇所に貼り付ける該第２ラベル部を該モジュールに付着させるために、該第２ラベル部の粘着面を部分的に露出させる剥離台紙とを備えたことを特徴とする。
【００１２】
該剥離台紙は、該破断用ライン及びその周辺の該第２ラベル部の粘着面を露出させることが好ましい。
【００１３】
該剥離台紙は、該第２ラベル部の粘着面から該第１ラベル部の粘着面に達する複数のブリッジ部を有することが望ましい。
【００１４】
該剥離台紙は、該第２ラベル部の粘着面で該ブリッジ部を連結して、該第２ラベル部の粘着面を凹形状で露出させるベース部を有することが望ましい。
【００１５】
該剥離台紙には、該破断用ライン近傍で該第２ラベル部の端縁と一致する箇所に、該剥離台紙を補強するための補強部が形成されることが好ましい。
【００１６】
該破断用ライン近傍は、不粘着面としても良い。
【発明の効果】
【００１７】
本発明にかかるエアバッグ用バーコードラベルにあっては、貼り付けられた一方のラベル部分に対し、貼り付けられていない他方のラベル部分が切り裂かれたり、脱落してしまうことを防止することができる。
【図面の簡単な説明】
【００１８】
【図１】本発明に係るエアバッグ用バーコードラベルの好適な一実施形態を示す、当該ラベルを表面から見た図である。
【図２】図１に示したエアバッグ用バーコードラベルを裏面から見た図である。
【図３】図１に示したエアバッグ用バーコードラベルのラベル体を、第１ラベル部の粘着面でインフレータカーテンに貼り付けた状態を示す斜視図である。
【図４】図１に示したエアバッグ用バーコードラベルの第２ラベル部を、剥離し切り離した状態を示す斜視図である。
【発明を実施するための形態】
【００１９】
以下に、本発明にかかるエアバッグ用バーコードラベルの好適な一実施形態を、添付図面を参照して詳細に説明する。図１及び図２に示すように、本実施形態に係るエアバッグ用バーコードラベル１は主に、ラベル体２と、剥離台紙３とを備えて構成される。
【００２０】
ラベル体２は、裏面が粘着面であり、表面が印刷面とされる。ラベル体２の粘着面は、エアバッグの素材となるファブリック（織物）や、エアバッグを含む本体製品モジュール４（図３及び図４参照）の素材、例えばエアバッグを収納するケースの素材である柔らかなプラスチック等に貼り付けることができると共に、また他方で、本体製品モジュール４の取付箇所となる車両の各種フレームなどの金属部品等にも貼り付けることができるようになっている。
【００２１】
ラベル体２の印刷面には、同一情報のバーコード５が２箇所に印刷されている。バーコード５は、製品の生産日や生産ライン、固有の番号などの各種情報をコード化したものである。バーコード５の情報は、トレーサビリティ（製品追跡）管理などに活用される。
【００２２】
ラベル体２には、２箇所に印刷されたバーコード５間に幅方向へ横断して、破断用ライン６が形成される。ラベル体２は、破断用ライン６で分けられて、一方が第１ラベル部７とされ、他方が第２ラベル部８とされる。破断用ライン６は、第１ラベル部７から第２ラベル部８を分断するために設けられる。破断用ライン６で破断することで、同一情報のバーコード５が印刷された第１ラベル部７と第２ラベル部８とが切り離され、ラベル体２が分断される。
【００２３】
ラベル体２の幅方向両端縁には、破断用ライン６の始端位置及び終端位置に、丸みを帯びたアーチ状の切り込みが向かい合わせで形成されて、Ｖ字状の切り溝９が形成される。切り溝９は、ラベル体２を分断操作し始める時に、操作力で切り溝９周辺の第２ラベル部８が捲れるようにして、当該操作力が破断用ライン６に直接加わるようにする。
【００２４】
第１ラベル部７の粘着面７ａは、エアバッグを含む本体製品モジュール４に当接され、第１ラベル部７は、本体製品モジュール４に貼り付けられる。従って、第１ラベル部７から第２ラベル部８を分断する前は、ラベル体２全体が本体製品モジュール４に貼り付けられる。第２ラベル部８の粘着面８ａは、第１ラベル部７から分断された後、本体製品モジュール４に関連する車両の適宜箇所に当接され、これにより第２ラベル部８は車両の当該適宜箇所に貼り付けられる。
【００２５】
剥離台紙３は、第２ラベル部８に対して設けられる。剥離台紙３は、第２ラベル部８の粘着面８ａを剥離可能に覆って粘着性が失われないように保護する一方で、当該粘着面８ａを部分的に露出させる形態で形成される。従って、第１ラベル部７の粘着面７ａは、これを貼り付ける前は、図示しない他の台紙に剥離可能に覆われる。
【００２６】
第１ラベル部７の粘着面７ａを露出させる際には、当該他の台紙から第１ラベル部７を剥がすことで、ラベル体２が全体として剥がし取られる。ラベル体２全体を剥がし取った状態では、剥離台紙３が第２ラベル部８の粘着面８ａを部分的に露出させるので、第２ラベル部８の露出された粘着面８ａ部分は、第１ラベル部７の粘着面７ａを貼り付ける際に、本体製品モジュール４に付着させることが可能となっている。
【００２７】
剥離台紙３はラベル体２、具体的には第１ラベル部７を剥がしたときに第２ラベル部８の粘着面８ａを部分的に露出させることができる限り、どのような形態であっても良い。本実施形態にあっては剥離台紙３は、第２ラベル部８の粘着面８ａから第１ラベル部７の粘着面７ａに達する複数のブリッジ部１０と、第２ラベル部８の粘着面８ａでブリッジ部１０を連結して、第２ラベル部８の粘着面８ａを凹形状で露出させるベース部１１とを備えて構成される。
【００２８】
ベース部１１は、ラベル体２（第２ラベル部８）の幅方向に細長い四角形状であって、幅方向左右両端が第２ラベル部８の幅方向両端縁から外方へ突出される。破断用ライン６に沿うベース部１１の上端は、破断用ライン６での切り離しを円滑化するために、破断用ライン６よりも僅かに第２ラベル部８側に寄せて位置される。ベース部１１の下端は、第２ラベル部８から僅かに外方へ迫り出される。
【００２９】
第２ラベル部８を、破断用ライン６を介して、第１ラベル部７から分断する際には、第２ラベル部８から突出したり迫り出しているベース部１１の幅方向左右両端や下端を利用して、ベース部１１に対し第２ラベル部８を捲るようにする。
【００３０】
ブリッジ部１０は、ラベル体２の長さ方向（第１ラベル部７から第２ラベル部８に亘る方向）に細長い短冊状であって、第１ラベル部７の粘着面７ａに位置する上方部分に対し、第２ラベル部８の粘着面８ａに達する下端がベース部１１と連結される。ブリッジ部１０は、ベース部１１の幅方向に間隔を隔てて複数設けられ、これにより、ブリッジ部１０間には、第２ラベル部８の粘着面８ａが凹形状で露出される。
【００３１】
詳細には、ベース部１１の上端は破断用ライン６よりも僅かに第２ラベル部８側に寄せて設定されるので、ブリッジ部１０の下端は、破断用ライン６よりも第２ラベル部８側でベース部１１に連結されることとなり、これにより、ブリッジ部１０とベース部１１とからなる剥離台紙３は、破断用ライン６及びその周辺の第２ラベル部８の粘着面８ａを露出させることになる。
【００３２】
複数のブリッジ部１０のうち、ラベル体２の幅方向両端側に位置するブリッジ部１０の外側端縁１０ａは、ラベル体２、すなわち第１ラベル部７及び第２ラベル部８の幅方向の端縁７ｂ，８ｂに一致される。
【００３３】
図示例にあってはさらに、ブリッジ部１０相互間には、ベース部１１上端を、丸みを帯びたアーチ状に窪ませることで、凹部３ａが形成される。この凹部３ａにより、第２ラベル部８の粘着面８ａは、さらに拡張して露出され、付着作用が強化される。
【００３４】
ブリッジ部１０は、第２ラベル部８を第１ラベル部７から分断した後、第１ラベル部７を貼り付けた本体製品モジュール４に剥離台紙３を残存させる。これにより、第２ラベル部８を分断した際に、剥離台紙３を別途廃棄するなどの手間をなくす。
【００３５】
剥離台紙３には、破断用ライン６近傍でラベル体２（第２ラベル部８）の幅方向の端縁と一致する箇所に、剥離台紙３を補強するための補強部１２が形成される。図示例にあっては、ラベル体２の幅方向両端側に位置するブリッジ部１０の外側端縁１０ａが第２ラベル部８の端縁８ｂと一致していて、また、破断用ライン６の近傍に、ベース部１１の上端が設定されていることから、ブリッジ部１０の外側端縁１０ａとベース部１１の上端との連結箇所に補強部１２が形成される。
【００３６】
本実施形態にあっては、補強部１２は、ブリッジ部１０の外側端縁１０ａとベース部１１の上端との連結箇所を、丸みを帯びたアーチ状に接続するＲ部として構成される。連結箇所を直角に成形するよりも、Ｒ部で成形することにより、連結箇所に生じる応力が緩和されて、補強効果が得られる。
【００３７】
次に、本実施形態に係るエアバッグ用バーコードラベル１の作用について説明する。エアバッグ用バーコードラベル１のラベル体２は、本体製品モジュール４と車両の適宜箇所とを関連付けするために、同一情報のバーコード５が印刷され、最終的に個別に貼り付けられる第１ラベル部７と第２ラベル部８を備える。
【００３８】
図３には、本体製品モジュール４の一例として、筒状に巻き取ったインフレータカーテンを対象として、これにラベル体２を貼り付けた様子が示され、図４には、第２ラベル部８を第１ラベル部７から分断した時の様子が示されている。
【００３９】
まず、図示しない他の台紙から第１ラベル部７を剥離し、第１ラベル部７の粘着面７ａでラベル体２全体を本体製品モジュール４に貼り付ける。この際、剥離台紙３は、第２ラベル部８の粘着面８ａを部分的に露出させるので、第２ラベル部８が本体製品モジュール４に付着される。第２ラベル部８の付着により、破断用ライン６及びその周辺が本体製品モジュール４に貼り付けられた状態となる。
【００４０】
その後、第２ラベル部８を第１ラベル部７から分断し、車両の適宜箇所に貼り付ける際には、ブリッジ部１０を介して第１ラベル部７とつながっている剥離台紙３に対し、第２ラベル部８を捲り上げ、破断用ライン６を利用して切り離す。このようにして第２ラベル部８を第１ラベル部７から分断すると、本体製品モジュール４には、剥離台紙３が残存した状態で、第１ラベル部７が貼り付いたまま残る。
【００４１】
第２ラベル部８は、裏面全面の粘着面８ａが露出され、車両の適宜箇所へ貼り付けることができる。
【００４２】
以上説明した本実施形態に係るエアバッグ用バーコードラベル１にあっては、第１ラベル部７から第２ラベル部８を切り離す以前の段階で、第２ラベル部８が本体製品モジュール４に付着している状態を確保することができる。
【００４３】
このため、第１ラベル部７を本体製品モジュール４に貼り付けた後、第２ラベル部８を切り離すまでの間に、他の製品などとの接触等、何らかの外力が加わっても、貼り付けられている第１ラベル部７に対し、第２ラベル部８が剥離台紙３から剥離して粘着面８ａが露出されてしまったり、破断用ライン６で切り裂かれたり、あるいは脱落してしまうようなことを確実に防止することができる。
【００４４】
また、部品点数は従来通りであり、従ってコストが嵩むことも防止することができる。また、第２ラベル部８の切り離しにあたり、剥離台紙３は本体製品モジュール４に残存することとなり、第２ラベル部８を切り離した後の剥離台紙３の廃棄処理を省略できて、工数を低減できる。
【００４５】
剥離台紙３は、破断用ライン６及びその周辺の第２ラベル部８の粘着面８ａを露出させるので、破断用ライン６部分を含めて第２ラベル部８を本体製品モジュール４に付着させることができ、第２ラベル部８が切り裂かれることなどを、さらに効果的に防止することができる。
【００４６】
剥離台紙３は、複数のブリッジ部１０を有しているので、本体製品モジュール４に貼り付けた第１ラベル部７から剥離台紙３を保持することができ、従って、第２ラベル部８を第１ラベル部７に確実に保持することができて、破断用ライン６で不意の切り裂きが生じることを防ぐことができる。
【００４７】
剥離台紙３は、ベース部１１を有しているので、このベース部１１でブリッジ部１０を連結して当該ブリッジ部１０を確実に機能させることができると共に、第２ラベル部８の粘着面８ａを凹形状で露出させて、当該凹形状を利用した露出面積の拡大により、適切に本体製品モジュール４に付着させることができる。
【００４８】
剥離台紙３の端縁１０ａに補強部１２を形成したので、剥離台紙３が切り裂かれ、これによって第２ラベル部８が切り裂かれることなどを、効果的に防止することができる。
【００４９】
上記実施形態にあっては、破断用ライン６近傍は、第１ラベル部７や第２ラベル部８の粘着面７ａ，８ａと一連に粘着性を備えるようにしているが、この破断用ライン６近傍を、切り裂きやすいように不粘着面としても良い。破断用ライン６近傍を不粘着面とした場合であっても、剥離台紙３で部分的に露出される第２ラベル部８の領域を、粘着面８ａとすることはもちろんである。
【００５０】
本発明にあっては、ファブリックやプラスチックを素材とする、エアバッグを含む本体製品モジュール４を対象として、第２ラベル部８を少し貼り付けておいても、この第２ラベル部８は容易に取り外すことが可能である。
【００５１】
以上に述べたエアバッグ用バーコードラベルは、本発明の好ましい例であって、これ以外の実施形態例も、各種の方法で実施または遂行できる。特に、本願明細書中に限定される主旨の記載がない限り、この発明は、添付図面に示した詳細な部品の形状、大きさおよび構成配置等に制約されるものではない。また、本願明細書中に用いられた表現および用語は、説明を目的としたもので、特に限定される主旨の記載がない限り、それに限定されるものではない。
【符号の説明】
【００５２】
１  エアバッグ用バーコードラベル
２  ラベル体
３  剥離台紙
４  本体製品モジュール
５  バーコード
６  破断用ライン
７  第１ラベル部
７ａ  第１ラベル部の粘着面
８  第２ラベル部
８ａ  第２ラベル部の粘着面
８ｂ  第２ラベル部の端縁
１０  ブリッジ部
１１  ベース部
１２  補強部
【図１】
2011059615.tif 000003
【図２】
2011059615.tif 000004
【図３】
2011059615.tif 000005
【図４】
2011059615.tif 000006